(57)【要約】【課題】浴室を換気できるとともに、浴室から脱衣室側への浸水を抑えることができる建具を提供すること。【解決手段】片引戸１は、上枠、下枠１２、および左右の縦枠を枠組みして構成された枠体１０と、枠体１０に対して開閉自在に取り付けられた障子とを備え、浴室と脱衣室との間に設けられる。閉じた状態の障子と枠体１０との間には、浴室および脱衣室間を連通する連通経路が形成される。この連通経路には、当該連通経路の下側部分を塞ぐ下部部材４０が設けられる。【選択図】  図５
2006214174.tif 000002
【特許請求の範囲】
【請求項１】
上枠、下枠、および左右の縦枠を枠組みして構成された枠体と、前記枠体に対して開閉自在に取り付けられた障子とを備え、浴室と脱衣室との間に設けられる建具であって、
閉じた状態の前記障子と前記枠体との間に、前記浴室および前記脱衣室間を連通する連通経路が形成され、
前記連通経路には、当該連通経路の下側部分を塞ぐ下部部材が設けられていることを特徴とする建具。
【請求項２】
前記下部部材は、前記下枠に当接する基部と、前記基部から上方へと立ち上がる立上部とを備え、前記基部の上面には、前記浴室側に向けて下る傾斜面が形成されていることを特徴とする請求項１に記載の建具。
【請求項３】
閉じた状態の前記障子と前記枠体との間には、前記枠体に設けられた複数の固定部と、前記複数の固定部に跨って取り付けられるとともに、前記障子に直接または間接的に当接する当接部材とが設けられ、
前記複数の固定部間における前記枠体と前記当接部材との間に、前記連通経路が形成されていることを特徴とする請求項１または２に記載の建具。
【請求項４】
前記基部には、前記当接部材と前記下枠との間に介挿される介挿部が形成され、
前記介挿部には、前記連通経路と前記浴室側とを連通する排水口が形成されていることを特徴とする請求項３に記載の建具。
【請求項５】
前記下枠の前記浴室側には、前記浴室と前記脱衣室との段差を緩やかにするとともに、内部に中空空間を有するスロープ部材が設けられ、前記排水口を介して、前記連通経路と前記中空空間とが連通していることを特徴とする請求項４に記載の建具。
【請求項６】
前記連通経路が屈曲していることを特徴とする請求項３〜５のいずれかに記載の建具。
【請求項７】
前記固定部は、前記縦枠から内側に向かって突出する突出部と、前記突出部に間隔をあけて取り付けられる複数の固定部材とを備え、
前記当接部材は、前記固定部材間に跨って取り付けられる取付部と、閉じた状態の障子に当接する当接部とを備え、
前記突出部と前記取付部とにより、前記屈曲した連通経路が形成されていることを特徴とする請求項６に記載の建具。
【発明の詳細な説明】
【技術分野】
【０００１】
本発明は、建具に関し、特に、浴室を換気できるとともに、浴室から脱衣室側への浸水を抑えることができる建具に関する。
【背景技術】
【０００２】
従来、浴室と脱衣室との間には、浴室を換気するための換気機構を有する建具が取り付けられることがある。このような建具は、例えば、特許文献１に示すように、出入口に取り付けられる枠体と、この枠体に対して開閉自在に取り付けられる障子と、枠体の縦枠と一体的に形成されるとともに、障子の戸先部が当接する戸当り部とを備えている。そして、戸当り部には、浴室と脱衣室との間を連通する連通経路を構成する換気孔が形成されている。この換気孔により、浴室の換気を行うことができる。
【特許文献１】登録実用新案第２５６７４０１号公報
【発明の開示】
【発明が解決しようとする課題】
【０００３】
しかしながら、このような構成の建具では、浴室側の溢れ水が換気孔から戸当り部内へ浸入し、さらに、脱衣室側へと浸水するおそれがある。このため、浴室の換気を行いつつ、浴室から脱衣室側への浸水を抑える建具が望まれている。
本発明の目的は、浴室を換気できるとともに、浴室から脱衣室側への浸水を抑えることができる建具を提供することにある。
【課題を解決するための手段】
【０００４】
本発明は、上枠、下枠、および左右の縦枠を枠組みして構成された枠体と、前記枠体に対して開閉自在に取り付けられた障子とを備え、浴室と脱衣室との間に設けられる建具であって、閉じた状態の前記障子と前記枠体との間に、前記浴室および前記脱衣室間を連通する連通経路が形成され、前記連通経路には、当該連通経路の下側部分を塞ぐ下部部材が設けられていることを特徴とする。なお、前記脱衣室には、単に脱衣の用途に使用する空間だけに限らず、他の用途に使用する空間であってもよく、要するに、浴室に隣接する空間のことである。
【０００５】
本発明によれば、浴室と脱衣室とを連通する連通経路を形成したので、浴室の換気を行うことができる。また、連通経路に連通経路の下側部分を塞ぐ下部部材を設けたので、浴室から溢れ水が連通経路に入ったとしても、下部部材によって脱衣室側への浸水を抑えることができる。
【０００６】
ここで、前記下部部材は、前記下枠に当接する基部と、前記基部から上方へと立ち上がる立上部とを備え、前記基部の上面には、前記浴室側に向けて下る傾斜面が形成されていてもよい。このような構成によれば、連通経路に入り込んだ水を基部の上面に形成された傾斜面で浴室側へと確実に戻すことができ、脱衣室側への浸水をより一層抑えることができる。
【０００７】
この際、閉じた状態の前記障子と前記枠体との間には、前記枠体に設けられた複数の固定部と、前記複数の固定部に跨って取り付けられるとともに、前記障子に直接または間接的に当接する当接部材とが設けられ、前記複数の固定部間における前記枠体と前記当接部材との間に、前記連通経路が形成されてもよい。このような構成によれば、比較的簡単な構成で連通経路を形成することができる。この際、固定部に対して当接部材を着脱自在な構成とすれば、当接部材を適宜取り外すことにより、障子と枠体との隙間部分を簡単に清掃、点検ができる。
【０００８】
前記基部には、前記当接部材と前記下枠との間に介挿される介挿部が形成され、前記介挿部には、前記連通経路と前記浴室側とを連通する排水口が形成されていてもよい。このような構成によれば、連通経路に入り込んだ水を傾斜面に沿って流した後、介挿部に形成された排水口を介して、連通経路から浴室側へと確実に戻すことができる。
【０００９】
ここで、前記下枠の前記浴室側には、前記浴室と前記脱衣室との段差を緩やかにするとともに、内部に中空空間を有するスロープ部材が設けられ、前記排水口を介して、前記連通経路と前記中空空間とが連通していることとしてもよい。このような構成によれば、連通経路に入った水を外部から見えないような経路で排水することができる。
【００１０】
以上において、前記連通経路が屈曲していてもよい。この場合には、例えば、浴室側から連通経路に水が掛かったとしても、連通経路が屈曲していることにより脱衣室側へ水が飛び出ることを防止できる。
【００１１】
ここで、前記固定部は、前記縦枠から内側に向かって突出する突出部と、前記突出部に間隔をあけて取り付けられる複数の固定部材とを備え、前記当接部材は、前記固定部材間に跨って取り付けられる取付部と、閉じた状態の障子に当接する当接部とを備え、前記突出部と前記取付部とにより、前記屈曲した連通経路が形成されていてもよい。このような構成によれば、突出部に固定部材を設けて、この固定部材に当接部材の取付部を取り付けるだけで、屈曲した連通経路を簡単に形成できる。
【発明の効果】
【００１２】
本発明の建具によれば、浴室を換気できるとともに、浴室から脱衣室側への浸水を抑えることができるという効果がある。
【発明を実施するための最良の形態】
【００１３】
以下、本発明の一実施形態に係る建具について図面を参照して説明する。
図１は、本実施形態に係る建具としての片引戸１を示す正面図である。図２は、片引戸１の縦断面図であり、図３は、片引戸１の横断面図である。図１〜図３に示すように、片引戸１は、浴室Ａと脱衣室Ｂとの間の出入口に取り付けられる枠体１０と、枠体１０に開閉自在に取り付けられる障子２０とを備えている。枠体１０は、上枠１１と、下枠１２と、左右の縦枠１３とを四周枠組みして形成されている。各枠１１〜１３は、それぞれアルミ押し出し形材により構成されている。
【００１４】
図３に示すように、縦枠１３には、内側に向かって突出する突出部１３Ａが形成され、突出部１３Ａには、障子２０の戸先側に当接する当接部材３０が設けられている。当接部材３０は、上下方向に間隔をあけて配置された固定部材（図示略）と下部部材４０とに跨るようにして取り付けられる取付部３１と、閉じた状態の障子２０の戸先側に当接する当接部であるシール材３２とを備えている。
【００１５】
このように、突出部１３Ａにおいて、間隔をあけて前記固定部材を配置し、前記固定部材を介して当接部材３０を取り付ける構成としたので、図３から下部部材４０を取り除いた図４に示すように、前記固定部材や下部部材４０が設けられていない部分では、浴室Ａと脱衣室Ｂとの間に屈曲した連通経路Ｘが形成される。このため、障子２０を閉じても、連通経路Ｘを介して浴室Ａを換気できる。なお、突出部１３Ａと前記固定部材とが、本発明の固定部に対応している。
【００１６】
図５は、下部部材４０を縦枠１３側から見た様子を示す斜視図である。図６は、下部部材４０が取り付けられた縦枠１３の内側部分を示す斜視図である。図５に示すように、下部部材４０は、縦枠１３と障子２０との間の下側部分に設けられる合成樹脂製の部材であり、下枠１２に当接する基部４１と、基部４１から上方に立ち上がる立上部４２とを備えている。
【００１７】
図５，図６に示すように、基部４１は、当接部材３０よりも縦枠１３側に位置する縦枠部４３と、当接部材３０と下枠１２との間に介挿される介挿部４４とを備えている。縦枠部４３および介挿部４４の下面側には、凹部４５が形成されており、凹部４５には、下枠１２から上方へ突出し、障子２０の浴室側面に当接するシール材（図２）を取り付けるための突出部１２Ａが嵌合している。図５に示すように、縦枠部４３の上面には、浴室Ａ側へ下る傾斜面４３Ａが形成されている。また、図６に示すように、介挿部４４には、当接部材３０の内外間、つまり、連通経路Ｘと浴室Ａ側との間を連通する排水口４４Ａが形成されている。
【００１８】
また、立上部４２は、正面視矩形状に形成され、連通経路Ｘの下側部分を塞ぐとともに、当接部材３０を支持するスペーサとして機能する。立上部４２の略中央には、当接部材３０や縦枠１３に取り付けるためのビス孔４２Ａが形成されている。また、ビス孔４２Ａの下方には、縦枠１３に当接し、縦枠部４３の傾斜面４３Ａにつながる第１止水板４２Ｂが形成されている。また、立上部４２の脱衣室Ｂ側には、縦枠１３に当接するとともに、第１止水板４２Ｂよりも大きな長さ寸法を有する第２止水板４２Ｃが形成されている。これらの２つの止水板４２Ｂ，４２Ｃにより、脱衣室Ｂ側への浸水が抑えられている。また、立上部４２の浴室側上方のコーナー部分には、縦枠１３に当接し当接部材３０を支持するスペーサ部４２Ｄが形成されている。
【００１９】
図７は、図２の要部を拡大して示す縦断面図である。図７に示すように、下枠１２の浴室Ａ側には、下枠１２を覆うようなスロープ部材５０が設けられている。スロープ部材５０の上面には、浴室Ａ側へ下る傾斜面が形成され、浴室Ａと脱衣室Ｂとの間の段差を軽減している。また、スロープ部材５０の内部には、中空空間５０Ａが形成され、この中空空間５０Ａと連通経路Ｘとは、排水口４４Ａを介して連通している。
【００２０】
以上のような構成により、浴室Ａからの溢れ水が縦枠１３と当接部材３０との間の連通経路Ｘに入ると、この溢れ水は、基部４１の縦枠部４３によって堰き止められ、傾斜面４３Ａに沿って浴室Ａ側へと戻される。この戻された水は、介挿部４４の排水口４４Ａからスロープ部材５０の中空空間５０Ａ内へと入り、スロープ部材５０に形成された、浴室Ａに臨む排水口（図示略）から浴室Ａへと排水される。
【００２１】
本実施形態によれば、以下のような効果がある。
(１)枠体１０と障子２０との間に、縦枠１３に形成された突出部１３Ａに前記固定部材を間隔をおいて配置したので、前記固定部材が取り付けられない箇所に連通経路Ｘが形成されるため、浴室Ａの換気を行うことができる。
【００２２】
(２)連通経路Ｘの下側部分を塞ぐ下部部材４０を備える構成としたので、この下部部材４０によって、浴室Ａから脱衣室Ｂ側への浸水を抑えることができる。この際、下部部材４０を構成する基部４１の縦枠部４３の上面に浴室Ａ側へ傾斜する傾斜面４３Ａを形成したので、この傾斜面４３Ａにより溢れ水を浴室Ａ側へ確実に戻すことができる。
【００２３】
(３)介挿部４４に排水口４４Ａを形成し、この排水口４４Ａがスロープ部材５０の中空空間５０Ａと連通するようにしたので、浴室Ａからの溢れ水を、傾斜面４３Ａで戻した後、排水口４４Ａおよび中空空間５０Ａを介して外部から見えない経路で浴室Ａへと戻すことができ、意匠性を向上できる。また、スロープ部材５０の中空空間５０Ａから連通経路Ｘへと溢れ水が逆流したとしても、縦枠部４３に形成された傾斜面４３Ａにより逆流水を浴室Ａ側へと戻すことができる。
【００２４】
(４)前述したように、縦枠１３から障子２０側へ突出部１３Ａが突出し、浴室Ａと脱衣室Ｂとの連通経路Ｘが断面Ｕ字状に屈曲した複雑な形状となるため、連通経路となる隙間部分に水が強く掛かったとしても、脱衣室Ｂ側への浸水を抑えることができる。また、このように連通経路ＸがＵ字状であるため、隙間部分から浴室Ａが覗けないようにもなっている。
【００２５】
(５)当接部材３０を前記固定部材に対して着脱自在な構成としたので、前記固定部材から当接部材３０を取り外すことにより、枠体１０と障子２０との隙間部分を簡単に清掃でき、メンテナンスが容易である。
【００２６】
(６)枠体１０と障子２０との間に、縦枠１３の長手方向に沿って延びるように連通経路Ｘを形成したので、例えば障子２０の下側に換気用のガラリ構造を設ける必要がない。このため、片引戸１の部材点数等が減少し、コストダウンを図ることができ、さらに、ガラリ構造の採用に伴うデザインの制約が無くなるため障子２０のデザイン性が向上する。また、障子の下側にガラリ構造を設けた場合のように、浴室利用者の足下側等の局所的な冷感を感じることがないから、利用者が浴室を快適に利用できる。
【００２７】
なお、本発明は、前記実施形態には限定されない。例えば、前記実施形態では、本発明を片引戸１に適用したが、３枚引戸等の他の引戸や折戸や開戸等に適用してもよい。また、前記実施形態では、基部４１の介挿部４４に排水口４４Ａを形成し、この排水口４４Ａを介して浴室Ａへと排水する構成としたが、特に排水口４４Ａを形成せずに、連通経路Ｘから排水するようにしてもよい。また、スロープ部材５０の内部の中空空間５０Ａを介して排水する構成としたが、スロープ部材５０を設けずに、排水口４４Ａから直接浴室Ａに排水する構成としてもよい。
【図面の簡単な説明】
【００２８】
【図１】本発明の一実施形態に係る建具としての片引戸を示す正面図である。
【図２】前記片引戸を示す縦断面図である。
【図３】前記片引戸を示す横断面図である。
【図４】図３から下部部材を取り除いた状態を示す横断面図である。
【図５】前記下部部材を縦枠側から見た様子を示す斜視図である。
【図６】前記下部部材が取り付けられた前記縦枠の内側部分を示す斜視図である。
【図７】図２の要部を拡大して示す縦断面図である。
【符号の説明】
【００２９】
１    片引戸（建具）
１０  枠体
１１  上枠
１２  下枠
１３  縦枠
１３Ａ      突出部
２０  障子
３０  当接部材
３１  取付部
３２  シール材（当接部）
４０  下部部材
４１  基部
４２  立上部
４３  縦枠部
４３Ａ      傾斜面
４４  介挿部
４４Ａ      排水口
５０  スロープ部材
５０Ａ      中空空間
Ａ    浴室
Ｂ    脱衣室
Ｘ    連通経路
【図１】
2006214174.tif 000003
【図２】
2006214174.tif 000004
【図３】
2006214174.tif 000005
【図４】
2006214174.tif 000006
【図５】
2006214174.tif 000007
【図６】
2006214174.tif 000008
【図７】
2006214174.tif 000009